(57)【要約】      （修正有）【課題】電源を内蔵する把持部に対して、複数個のＬＥＤ照明灯が、各個に折りたたみ開脚自在である携帯用ＬＥＤ照明具を提供すること。【解決手段】連接座２に複数個の直管型のＬＥＤ照明灯１が放射状に均等配設され、該連接座２に電源が接続されて成るＬＥＤ照明具において、前記連接座２に電気回路を内蔵した把持部４が接合され、前記各ＬＥＤ照明灯１が、その軸心を該把持部４の軸心と平行に該連接座２に配列されるとともに、該連接座に折りたたみ開脚自在に電気的に接合されて成る。このほか、前記各ＬＥＤ照明灯１が、前記連接座２に弾発手段を介して折りたたみ開脚自在に接合されるものから、全ＬＥＤ照明灯１を一括りにした状態で、各個のＬＥＤ照明灯１の外周に接触する外接円の直径が、前記把持部４の外径より小径であるとともに、前記状態の全ＬＥＤ照明灯１が、該把持部４に摺動自在に外嵌される透光性筒体６に出入自在であるものも提供される。【選択図】図１
2013232387.tif 000002
【特許請求の範囲】
【請求項１】
連接座に複数個の所要径、所要長の直管型のＬＥＤ照明灯が放射状に均等配設され、該連接座に電源が接続されて成るＬＥＤ照明具において、
前記連接座に電源及びスイッチ機構を有する電気回路を内蔵した把持部が接合され、前記各ＬＥＤ照明灯が、その軸心を該把持部の軸心と平行に該連接座に配列されるとともに、該連接座に折りたたみ開脚自在に電気的に接合されて成る携帯用ＬＥＤ照明具。
【請求項２】
前記各ＬＥＤ照明灯が、前記連接座に弾発手段を介して折りたたみ開脚自在に接合されて成る請求項１記載の携帯用ＬＥＤ照明具。
【請求項３】
全ＬＥＤ照明灯を一括りにした状態で、各個のＬＥＤ照明灯の外周に接触する外接円の直径が、前記把持部の外径より小径となる各ＬＥＤ照明灯の所要径が選択されるとともに、前記状態の全ＬＥＤ照明灯が、該把持部に摺動自在に外嵌される透光性筒体に出入自在に収納されて成る請求項１又は２記載の携帯用ＬＥＤ照明具。
【発明の詳細な説明】
【技術分野】
【０００１】  本発明は、電源を内蔵する把持部の軸心に対して、複数個の直管型の各ＬＥＤ照明灯が、その軸心を折りたたみ開脚自在とする携帯用のＬＥＤ照明具に関する。
【背景技術】
【０００２】  照明手段を三脚で支持する照明技術は多数提案されているが、複数個の直管型のＬＥＤ照明灯自体が折りたたみ開脚自在である携帯用のＬＥＤ照明具は提案されていない。
【発明の概要】
【発明が解決しようとする課題】
【０００３】  本発明は、上記実情に鑑みて、電源を内蔵する把持部の軸心に対して、複数個の直管型のＬＥＤ照明灯が、その軸心を折りたたみ開脚自在に軸支される携帯用ＬＥＤ照明具を提供するものである
【課題を解決するための手段】
【０００４】  本発明の請求項１に記載した携帯用ＬＥＤ照明具は、連接座に複数個の所要径、所要長の直管型のＬＥＤ照明灯が放射状に均等配設され、該連接座に電源が接続されて成るＬＥＤ照明具において、
前記連接座に電源及びスイッチ機構を有する電気回路を内蔵した把持部が接合され、前記各ＬＥＤ照明灯が、その軸心を該把持部の軸心と平行に該連接座に配列されるとともに、該連接座に折りたたみ開脚自在に電気的に接合されて成る。
本発明の請求項２に記載した携帯用ＬＥＤ照明具は、請求項１に記載した携帯用ＬＥＤ照明具において、
前記各ＬＥＤ照明灯が、前記連接座に弾発手段を介して折りたたみ開脚自在に接合されて成る。
本発明の請求項３に記載した携帯用ＬＥＤ照明具は、請求項１又は２に記載した携帯用ＬＥＤ照明具において、
全ＬＥＤ照明灯を一括りにした状態で、各個のＬＥＤ照明灯の外周に接触する外接円の直径が、前記把持部の外径より小径となる各ＬＥＤ照明灯の所要径が選択されるとともに、前記状態の全ＬＥＤ照明灯が、該把持部に摺動自在に外嵌される透光性筒体に出入自在に収納されて成る。
【発明の効果】
【０００５】  本発明の請求項１に記載した携帯用ＬＥＤ照明具は、携帯時には複数個のＬＥＤ照明灯を一括りにした状態から、放射状に開脚するなどで手元の明るさを変更できる上、レジャーなどのアウトドアーでは、テーブル上に放射状に開脚して自立できるから、テーブル上を明るく照明できるものであり、請求項２に記載した発明は、請求項３に記載した発明と結合すれば、透光性筒体を把持部に摺動させるだけで、各ＬＥＤ照明灯は弾発手段により自動的に放射状に開脚されるので、テーブル上で使用するには、各個のＬＥＤ照明灯を開脚させる手間が省けて利便性が高いものであり、請求項３に記載した発明は、前記請求項２に記載した発明との結合による効果のほかに、透光性筒体に各種の色調を付加することで、ＬＥＤの白色光、その他の配色光に加えて、該色調による演出効果を楽しむことができるなど、その効果は多大である。
【図面の簡単な説明】
【０００６】
【図１】本発明に係る携帯用ＬＥＤ照明具Ａの分解説明図。
【図２】ＬＥＤ照明灯１の要部の分解説明図で、（ａ）はＬＥＤ１ｂを配設した回路基板１ａと、取付け座１ｄと、受け座２ａの各正面図、（ｂ）は取付け座１ｄの平面図、（ｃ）は分図（ｂ）の右側面図、（ｄ）は受け座２ａの平面図、（ｅ）はＬＥＤ１ｂを配設した回路基板１ａの平面図。
【図３】接合座２ｂの平面図。
【図４】ＬＥＤ照明灯１を開脚した状態の説明図。
【図５】取付け座１ｄと受け座２ａ間に捩りバネ２ａｅを介在させた状態の説明図。
【図６】本発明に係る携帯用ＬＥＤ照明具Ａの使用状態の説明図。
【図７】本発明に係る携帯用ＬＥＤ照明具Ｂにおいて、透光性筒体６に３個のＬＥＤ照明灯１を収納した状態の説明図。
【発明を実施するための形態】
【０００７】  本発明における複数個のＬＥＤ照明灯とは、各個が開脚したときに自立できるためには３個以上であり、最適には一括りにしたときの最大外径（各個のＬＥＤ照明灯の外周に接する外接円の直径）が把持部の外径に収まるものである。また、各ＬＥＤ照明灯はその頂部を単にメクラ栓で閉塞するものから、該メクラ栓にその軸心方向を光軸とするＬＥＤを設けたものなどである。さらに、把持部のケースに収蔵される電源は、乾電池を直列に配列するものから、電池ケース内に収められて直列または並列に配列されるものなどである。このほか、全ＬＥＤ照明灯を収納する透光性筒体は、各色調に選択される。すなわち、赤色であれば非常灯となり、薄い青色系であれば、涼しげな雰囲気を演出し、黄色、桃色など各色調の色分けにより、アウトドアーでのテントの標識灯ともなる。さらに、各個のＬＥＤ照明灯を外方へ開脚させる弾発手段としては、取付け座の脚を受け座の二股に軸支するネジ軸やカシメ止めされるピン軸に外嵌して一方を脚に係着し、他方を二股に係着して弾発力を発現させる捩りバネのほか、省スペース的なものとして板バネによるなどである。
【実施例】
【０００８】  本発明の携帯用ＬＥＤ照明具Ａを実施例により説明すると、図１に示すように、３個のＬＥＤ照明灯１と、各ＬＥＤ照明灯１を一括りに接合する連接座２と、電極基板３と、ケース４ａに仮想線で示す電源としての乾電池４ｂを収納する把持部４と、オン・オフスイッチ５ａを内蔵するキャップ５とから成る。
そして、前記の連接座２は、各個のＬＥＤ照明灯１を円周３分割した１２０°の位相で接合する受け座２ａと、該受け座２ａがビス２ａａで接合される接合座２ｂとから成り、各ＬＥＤ照明灯１は、図２（ａ）に示すように、回路基板１ａと、該回路基板１ａの各電極に接続される４個のＬＥＤ（発光ダイオード）１ｂと、その下端に形成される二股１ｃを接合する絶縁材の取付け座１ｄと、該取付け座１ｄのフランジ１ｄｂに下端が位置決めされ、前記回路基板１ａと４個のＬＥＤ１ｂを収納し、上端がメクラ栓１ｅ（図１に明示）で閉塞される透光性のケース１ｆと、該取付け座１ｄにその下端から所要長垂下してクサビ状に植設される脚１ｄａに接合される受け座２ａとからなる。
そして、前記取付け座１ｄには植設される脚１ｄａを挟んで該脚１ｄａに直交して刻設した一対の溝１ｄｃにおいて、前記二股１ｃが挿入され、脚１ｄａの回動軸心に平行する面を常に照射できるものである。
すなわち、取付け座１ｄの脚１ｄａは、それぞれ受け座２ａに１２０°の位相で立設した二股２ａｂに遊嵌され、両者に貫設されたビス孔２ａｃにビス２ａｄが挿通されて、回動自在にカシメ接合されて成る。したがって、１２０°の位相差を以て連接座２の周面を照明できるのである。
このようにして成る各ＬＥＤ照明灯１の受け座２ａと、該受け座２ａがビス２ａａで接合される絶縁材の接合座２ｂとによって連接座２が形成され、回路基板１ａから案内される電路（省略）は、取付け座１ｄに植設された脚１ｄａと平行にその周面に縦設された電路の案内溝１ｄｄを経て、図３に示す接合座２ｂに貫設された３個の各貫通孔２ｂａより取り出され、各ＬＥＤ１ｂのアノード端子に接続される電路が電極基板３の中心の＋電極に接続され、カソード端子に接続される電路が前記＋電極と絶縁されて該電極基板３の周縁に配設される−電極に接続される。そして、把持部４のケース４ａの上端部に凹設された嵌入孔４ａａには、各電路の接続された電極基板３をその底部に嵌着し、その上に各ＬＥＤ照明灯１を揺動自在に接合した受け座２ａをビス止めした絶縁材からなる接合座２ｂが嵌着され、ケース４ａの周縁と該接合座２ｂの周縁とがビス４ａｂで接合されて抜け止めが図られる。
また、ケース４の下端に螺設された雌ネジ４ａｃにはオン・オフスイッチ５ａを内蔵したキャップ５がその雄ネジ５ｂによって螺着される。
したがって、前記＋電極のコイル端子３ａに乾電池４ｂの＋電極が接続され、乾電池４ｂの−電極にオン・オフスイッチ５ａの−電極のコイル端子５ａａが接続され、該スイッチ５ａを一度押すと各ＬＥＤ１ｂは点灯し、二度押すと各ＬＥＤ１ｂは消灯するものである。【０００９】  次に、各ＬＥＤ照明灯１の開脚について説明すると、図４に示すように、回路基板１ａの下端をその二股１ｃにおいて接合する取付け座１ｄは、その脚１ｄａが受け座２ａの二股２ａｂに揺動自在に軸支されるから、該脚１ｄａは該受け座２ａと一体の接合座２ｂの上部内周に係着する位置（開き角度θ°）まで傾動できるものであり、したがって、この開き角度θ°まで各ＬＥＤ照明灯１は開脚され、テーブル上に載置されてその周辺を照明できるものである。【００１０】さらに、本発明は図５に示すように、取付け座１ｄの脚１ｄａと受け座２ａの二股２ａｂにおいて、弾発手段としての捩りバネ２ａｅを介在させることによって、自動的に開脚できるものとする。
すなわち、脚１ｄａと二股２ａｂとを搖動自在に軸支するビス２ａｄのネジ軸に外嵌する捩りバネ２ａｅの一端を受け座２ａの二股２ａｂの内方に係着し、その他端を内方に捩りながら脚１ｄａの内方に係着すれば、捩りバネ２ａｅの弾発力が脚１ｄａを介して各ＬＥＤ照明灯１を外方へ開脚させるのである。したがって、図６に示すように、携帯用ＬＥＤ照明具Ａは仮想線で示す如く各ＬＥＤ照明灯１を放射状に開脚すれば、倒立姿勢でテーブルなどに載置されて使用され得る。【００１１】  さらに、把持部４の外周に透光性筒体６を摺動自在に外嵌する実施例について説明すると、この場合は図７に示すように、３個のＬＥＤ照明灯１を一括りにした状態の各ＬＥＤ照明灯１の外周に接触する外接円の直径が把持部４の外径より小径となるように、各ＬＥＤ照明灯１のケース１ｆの直径が選択されるものである。
そして、把持部４の下端に螺着されるキャップ５を取り外した状態で把持部４の外周に透光性筒体６を外嵌し、キャップ５を螺着すると、該キャップ５の周縁に設けた抜け止め部５ｃと、前記ケース１ｆの頂部に嵌着したメクラ栓１ｅに設けた抜け止め部１ｅａとによって、透光性筒体６は把持部４及び一括り状態の全ＬＥＤ照明灯１から脱却することがない。
したがって、図５に示した連接座２に捩りバネ２ａｅを介在させた携帯用ＬＥＤ照明具Ｂにおいては、透光性筒体６を把持部４へ摺動させると、各ＬＥＤ照明灯１は、図７の仮想線で示すように、放射状に自動的に開脚するものである。
また、透光性筒体６に各種の色調を付加することによって、キャップ５に設けた仮想線で示すストラップ７で吊下すれば、ムードランプとなったり、アウトドアーでのテント毎の標識灯ともなるなどで、演出効果を楽しむこともできるものである。
【産業上の利用可能性】
【００１２】  本発明は、複数個のＬＥＤ照明灯を一括りにした状態で、一般的な携帯用の懐中電灯として利用できる上、開脚倒立状態ではテーブル上で使用できるなど、非常時や緊急時などでの照明や、アウトドアーなどのレジャー用照明にも利用でき、照明の用途が広範となって、照明産業の活性化は元よりＬＥＤ業界のＬＥＤの需要拡大にも貢献できるものである。
【符号の説明】
【００１３】１  ＬＥＤ照明灯
１ａ  回路基板
１ｂ  ＬＥＤ
１ｃ  二股
１ｄ  取付け座
１ｄａ  脚
１ｄｂ  フランジ
１ｄｃ  溝
１ｄｄ  案内溝
１ｅ  メクラ栓
１ｅａ  抜け止め部
２  連接座
２ａ  受け座
２ａａ  ビス
２ａｂ  二股
２ａｃ  ビス孔
２ａｄ  ビス
２ａｅ  捩りバネ
２ｂ  接合座
２ｂａ  貫通孔
３  電極基板
３ａ  コイル端子
４  把持部
４ａ  ケース
４ａａ  嵌入孔
４ａｂ  ビス
４ａｃ  雌ネジ
４ｂ  乾電池
５  キャップ
５ａ  オン・オフスイッチ
５ａａ  コイル端子
５ｂ  雄ネジ
５ｃ  抜け止め部
６  透光性筒体
７  ストラップ
Ａ、Ｂ  携帯用ＬＥＤ照明具
【図１】
2013232387.tif 000003
【図２】
2013232387.tif 000004
【図３】
2013232387.tif 000005
【図４】
2013232387.tif 000006
【図５】
2013232387.tif 000007
【図６】
2013232387.tif 000008
【図７】
2013232387.tif 000009